(57)【特許請求の範囲】
【請求項１】
腹腔鏡手術で臓器を把持するための道具、であって、小切開創に挿入保持されるトロッカーに挿入できる筒状の本体と、この本体に腹腔鏡手術用鉗子を挿通するのに十分な前記本体の内径と、前記本体の先端が一方の分岐部に挿入される分岐形状ゴムチューブと、前記本体の先端の側部に形成され前記分岐形状ゴムチューブの他方の分岐部に連通する孔と、前記本体の後端が挿入されるゴムチューブと、このゴムチューブを介して前記本体を通り前記孔から前記分岐形状ゴムチューブの前記他方の分岐部を通って外部に露出し、前記臓器に巻き回された後に、前記一方の分岐部を介して前記本体の先端から入り、前記本体を通り前記ゴムチューブから引き出されるのに十分な長さを有する紐体と、を有することを特徴とする臓器把持具。
【請求項２】
前記筒状の本体は、円筒状のステンレス管であり、前記分岐形状ゴムチューブは、Ｔ字状ゴムチューブであり、前記一方の分岐部は、前記Ｔ字状の上辺部であり、前記他方の分岐部は、前記Ｔ字状の縦辺部であり、前記紐体は、外科用血管テープであることを特徴とする請求項１に記載の臓器把持具。
【請求項３】
前記臓器は、直腸および直腸近傍の結腸であり、前記道具は、前記把持を強くおこなうことで直腸内腔を閉鎖し直腸洗浄を容易にするための道具であり、前記Ｔ字状の上辺部のうち、先端側の分岐部の長さは１５から２５ｍｍであり、このうちステンレス管が挿入されている部分の長さは５から１０ｍｍであり、前記Ｔ字状の縦辺部の長さは１０から１５であることを特徴とする請求項２に記載の臓器把持具。
【発明の詳細な説明】
【技術分野】
【０００１】
この発明は、腹腔鏡手術で臓器を把持し、臓器を牽引したり、臓器を閉鎖したりするための道具の構造に関する。
【背景技術】
【０００２】
腹腔鏡手術は、腹部に通常は複数の小切開創を形成し、各小切開創からトロッカーという円筒状器具を挿入し保持し、あるトロッカーから炭酸ガスを注入して腹腔を膨らませる。その後に、他のトロカーから内視鏡を入れて腹腔内を観察しながら、更に他のトロッカーからは腹腔鏡手術用のハサミや鉗子などの手術器械を入れて手術をおこなう。
【０００３】
このため、腹腔鏡手術は、大きな切開創が必要となる開腹手術より、体に対する負担が少ない手術である、といわれている。
しかし、腹腔鏡下の手術は、一般に難しく、トレーニングを積み熟練した外科医でなければ、事故防止なども大きな問題となる。
【０００４】
腹腔鏡下の手術を難しくしている原因のひとつとして、視野が内視鏡の狭い範囲に限られることに重ねて、腹腔内に手術医が直接に手を入れることができないので、臓器を思うように把持し牽引できず、そのため、患部の視野が十分でない、ことがあげられる。
【０００５】
従来、臓器を把持し牽引するには、例えば臓器が直腸の場合には、２本の鉗子で直腸を挟み、牽引することがおこなわれてきたが、狭い骨盤内での操作は難しい。また、ドリアン鉗子とよばれる１本の大きな鉗子で直腸を挟み、牽引することがおこなわれてきたが、十分な視野をとることは難しい。あるいは、直腸に巻いたガーゼの両端部を、鉗子で挟み牽引することもおこなわれてきたが、巻いた力が弱く、直腸に対してガーゼが滑り易く、実施が難しい。更に、このガーゼの代わりに、シリコン製で凹凸の滑り止めが形成された特殊なベルトを直腸に巻いて、巻いたベルトの端部を鉗子で挟み牽引することもおこなわれてきたが、確実な把持牽引は難しい。
【０００６】
以上の問題点を軽減するために、下記の特許文献１では、棒状の道具の先にループ状の紐体であるチューブが設けられ、このループの径を変化させることで、臓器を把持する道具が提案されている。
また、下記の特許文献２では、棒状の道具の先にループ状のスタイレットとよばれる紐体が設けられ、このループを開閉させることで、臓器を把持する道具が提案されている。
【特許文献１】特開平09-140717
【特許文献２】実開平08-000780
【発明の開示】
【発明が解決しようとする課題】
【０００７】
しかしながら、特許文献１又は２によれば、閉じたループ状の紐体で臓器を把持するために、臓器が腸のように端部を有さないものには、実施ができない。また、長く連続した臓器の一部位を把持しようとする場合には、その臓器の端部からループを移動させなければならず、実施が難しい。
【０００８】
更には、ループ状の紐体で臓器を把持した状態では、臓器の姿勢が固定しないため制御し難く、場合によっては臓器が首振り状態になり、把持、牽引が不十分となる。
以上の問題点は、臓器の把持、牽引という観点から説明したが、臓器の把持、閉鎖においても同じような問題が生じる。
【０００９】
すなわち、例えば従来、直腸腫瘍の手術において、直腸を腸クランプ鉗子でクランプして、腫瘍の肛門側約2cmにかけて直腸内腔を閉鎖し、直腸洗浄をおこなっていた。この腸クランプ鉗子は、先端のクランプ部分が、脱着可能に構成され、閉鎖の間は、鉗子本体から外した状態で、直腸をクランプし続ける。閉鎖後は、クランプ部分を本体に連結する操作が必要である。このため、その操作には手間がかかっていた。仮に、この閉鎖に、前記特許文献１あるいは特許文献２の道具を使用しようとしても、前記と同様の問題により、実施ができない。
【００１０】
この発明は、以上の問題点を解決するために、（１）臓器が腸のように端部を有さないものである場合、また、長く連続した臓器の一部位を把持しようとする場合でも、把持が可能で、（２）臓器の姿勢が固定され、臓器が首振り状態になることがなく、（３）さらには、直腸の内腔を閉鎖することができ、直腸洗浄を容易にすることができる、臓器把持具を提供することを目的とする。
【課題を解決するための手段】
【００１１】
以上の課題を解決するために、第一発明は、腹腔鏡手術で臓器を把持するための道具であって、小切開創に挿入保持されるトロッカーに挿入できる筒状の本体と、この本体に腹腔鏡手術用鉗子を挿通するのに十分な前記本体の内径と、前記本体の先端が一方の分岐部に挿入される分岐形状ゴムチューブと、前記本体の先端の側部に形成され前記分岐形状ゴムチューブの他方の分岐部に連通する孔と、前記本体の後端が挿入されるゴムチューブと、このゴムチューブを介して前記本体を通り前記孔から前記分岐形状ゴムチューブの前記他方の分岐部を通って外部に露出し、前記臓器に巻き回された後に、前記一方の分岐部を介して前記本体の先端から入り、前記本体を通り前記ゴムチューブから引き出されるのに十分な長さを有する紐体と、を有することを特徴とする臓器把持具である。
【００１２】
第二発明は、さらに、前記筒状の本体は、円筒状のステンレス管であり、前記分岐形状ゴムチューブは、Ｔ字状ゴムチューブであり、前記一方の分岐部は、前記Ｔ字状の上辺部であり、前記他方の分岐部は、前記Ｔ字状の縦辺部であり、前記紐体は、外科用血管テープであることを特徴とする臓器把持具である。
【００１３】
第三発明は、さらに、前記臓器は、大腸であり、前記Ｔ字状の上辺部のうち、先端側の分岐部の長さは１５から２５ｍｍであり、このうちステンレス管が挿入されている部分の長さは５から１０ｍｍであり、前記Ｔ字状の縦辺部の長さは１０から１５であることを特徴とする臓器把持具である。
【発明の効果】
【００１４】
第一、第二、又は第三発明によれば、以下の手順により、臓器の把持がおこなわれる。まず、紐体の一端を残し、他端を、臓器把持具のゴムチューブを介して本体へ通し、本体の孔から分岐形状ゴムチューブの他方の分岐部を通って外部に露出させ、本体に沿わせた状態とする。その状態で、紐体と臓器把持具を、小切開創に挿入保持されるトロッカーに、挿入する。次に、他のトロッカーからは腹腔鏡手術用の鉗子を挿入し、この鉗子で、臓器把持具の本体に沿わせた紐体を、腹腔内へ引き入れ、臓器の下をくぐらせる。そして、臓器把持具の本体に腹腔鏡手術用鉗子を挿通し、この腹腔鏡手術用鉗子により、臓器の下をくぐった紐体の他端を挟む。さらに、この腹腔鏡手術用鉗子を臓器把持具の本体から引き出すことで、紐体の他端をも引き出す。
【００１５】
これにより、紐体は、臓器に巻き回された状態で、一端は分岐形状ゴムチューブの一方の分岐部を通り、他端は分岐形状ゴムチューブの他方の分岐部を通り、両端とも、臓器把持具の後端のゴムチューブを介して本体の外に引き出される。これら両端を適度に強く、引っ張ることで、臓器は、紐体に押圧され、分岐形状ゴムチューブの分岐部に押し付けられ、固定される。紐体の両端は、ゴムチューブの上から、他の鉗子などでクリップされ、固定されると同時に、腹腔内の減圧が防止される。
【００１６】
以上のようにして、（１）臓器が腸のように端部を有さないものである場合、また、長く連続した臓器の一部位を把持しようとする場合でも、紐体の他端を臓器の下へくぐらせ、紐体を臓器に巻き回すことができるので、把持が可能である。
また、（２）臓器は、紐体に押圧され、分岐形状ゴムチューブの分岐部に押し付けられ、固定されるので、臓器の姿勢が固定され、臓器が首振り状態になりにくい。
【００１７】
第二発明によれば、さらに、円筒状のステンレス管やＴ字状ゴムチューブを用いて、安価な臓器把持具を得ることができる。
第三発明によれば、さらに、Ｔ字状ゴムチューブのＴ字状の上辺部のうち、先端側の分岐部の長さは１５から２５ｍｍであり、このうちステンレス管が挿入されている部分の長さは５から１０ｍｍであり、前記Ｔ字状の縦辺部の長さは１０から１５であることから、臓器である大腸を、把持し、牽引したり、閉鎖したりするのに適した寸法とすることができる。
【発明を実施するための最良の形態】
【００１８】
この発明の実施形態を、図１〜図９に示す。
図１（Ａ）に示すように、この実施形態に係る臓器把持具１の本体３は、長さ４００ｍｍの円筒状のステンレス管である。外径は、８ｍｍで、腹部の小切開創５に挿入保持されるトロッカー７に挿入できる寸法を有する。内径は、７ｍｍで、腹腔鏡手術用鉗子９（同図（Ｃ））を挿通するのに十分な寸法を有する。
【００１９】
同図（Ａ）（Ｆ）に示すように、本体３の先端には、分岐形状ゴムチューブ１１として用いられるＴ字状ゴムチューブ１３が取り付けられる。すなわち、本体３の先端は、分岐形状ゴムチューブ一方の分岐部１５である、Ｔ字状ゴムチューブ１３のＴ字状の上辺部１７へ挿入される。そして、本体３の先端の側部には、孔１９が形成され、この孔１９は分岐形状ゴムチューブ１１の他方の分岐部１５である、Ｔ字状ゴムチューブ１３のＴ字状の縦辺部２１に連通する。なお、Ｔ字状ゴムチューブ１３のＴ字状の上辺部１７の先端側下部と、縦辺部２１の下端の先端側には、それぞれ、円弧状の切欠２３が形成される。この切欠２３には、後述する紐体２５が保持される。
【００２０】
同図（Ａ）（Ｅ）に示すように、本体３の後端は、別の直線的な形状のゴムチューブ２７に挿入される。
これらのゴムチューブ１３、２７は、外径は８ｍｍ、内径は６ｍｍであり、天然ゴムラテックスが用いられる。製造は、ゴムチューブのメーカーであるドイツのリュッシュ社（Rusch GmbH, Germany）による。
【００２１】
同図（Ｂ）に示される紐体２５は外科用血管テープ（VesselTape）である。幅９ｍｍで、長さ１２００ｍｍのものを使用した。臓器把持具１の本体３の中を通されるこの紐体２５によって臓器２９が把持される（図７図８参照）ので、十分な長さが必要である。すなわち、紐体２５は、ゴムチューブ２７を介して本体３を通り、孔１９からＴ字状ゴムチューブ１３のＴ字状の縦辺部２１を通って外部に露出し、臓器２９に巻き回された後に、Ｔ字状ゴムチューブ１３のＴ字状の上辺部１７を介して本体３の先端から入り、本体３を通りゴムチューブ２７から引き出されるのに十分な長さを有す。
【００２２】
この実施形態においては、把持、牽引される対象臓器は、大腸３１である。これに適するようにＴ字状ゴムチューブ１３の形状が定められる。すなわち、図１（Ｆ）に示すように、Ｔ字状の上辺部１７のうち、先端側の分岐部１５の長さＡは１５ｍｍであり、このうちステンレス管が挿入されている部分の長さＢは５ｍｍである。残りの先端側Ｃの１０ｍｍは、ゴムだけである。また、Ｔ字状の縦辺部２１の長さＤは１０ｍｍである。
【００２３】
同図（Ｃ）に示される腹腔鏡手術用鉗子９は、腹腔鏡手術に用いられるもので、ハンドル部３３を操作することで先端部分３５が開閉する。特別に長い鉗子である。また、この同図（Ｃ）と同様の構造で短い鉗子１０が、複数、使用される。
同図（Ｄ）に示される鉗子３７は、通常の手術に使用されるもので、この臓器把持具１を使用する手順の図９に示すように、紐体２５の両端をゴムチューブ２７の上からクリップするのに用いられる。
【００２４】
「実施形態に係る臓器把持具１を使用する手順と効果」
この臓器把持具１を使用する手順を説明する。すなわち、
［１］まず、図２に示すように、紐体２５の一端を残し、他端を、臓器把持具１のゴムチューブ２７を介して本体３へ通し、本体３の孔１９から分岐形状ゴムチューブ１１の他方の分岐部１５を通って外部に露出させ、本体３に沿わせた状態とする。その状態で、紐体２５と臓器把持具１を、小切開創５に挿入保持されるトロッカー７に、挿入する。このトロッカー７は、例えば径１２ｍｍのものが使用される。
【００２５】
［２］次に、図２、図３に示すように、他の２本のトロッカー７からそれぞれ短い腹腔鏡手術用鉗子１０を挿入し、この鉗子１０で、臓器把持具１の本体３に沿わせた紐体２５の端を、腹腔３９内へ引き入れる。このとき紐体２５の端は、一度、開放されることになる。
【００２６】
［３］そして、図４に示すように、ひとつの鉗子１０で大腸３１を持ち上げ、他の鉗子１０で引き入れた紐体２５を挟み、大腸３１の下をくぐらせる。
［４］次に、図５、図６に示すように、臓器把持具１の本体３に腹腔鏡手術用鉗子９を挿通し、この腹腔鏡手術用鉗子９により、臓器２９の下をくぐった紐体２５の他端を挟む。このとき紐体２５は、ループ状に閉じることになる。
【００２７】
［５］さらに、図７に示すように、この腹腔鏡手術用鉗子９を臓器把持具１の本体３から引き出すことで、紐体２５の他端をも引き出す。
これにより、紐体２５は、臓器２９に巻き回された状態で、一端はＴ字状ゴムチューブ１３のＴ字状の上辺部１７を通り、他端はＴ字状ゴムチューブ１３のＴ字状の縦辺部２１を通り、両端とも、臓器把持具１の後端のゴムチューブ２７を介して本体３の外に引き出される。
【００２８】
［６］図８、図９に示すように、これら両端を適度に強く、引っ張ることで、大腸３１は、紐体２５に押圧され、Ｔ字状ゴムチューブ１１の分岐部１５に押し付けられ、固定される。紐体２５の両端は、ゴムチューブ２７の上から、他の鉗子３７でクリップされ、固定されると同時に、腹腔３９内の炭酸ガスが本体３の後端から漏れ腹腔３９内が減圧してしまうことが防止される。
【００２９】
以上のようにして、（１）臓器２９が大腸３１のように端部を有さないものである場合でも、紐体２５の他端を臓器２９の下へくぐらせ、紐体２５を臓器２９に巻き回すことができるので、把持、牽引が可能である。
【００３０】
また、（２）大腸３１は、図９に示すように、紐体２５に押圧され、Ｔ字状ゴムチューブ１３のＴ字状の分岐部１５に押し付けられ、Ｔ字状ゴムチューブ１３に広い範囲で接して固定されるので、大腸３１の姿勢が固定され、大腸３１の前後が首振り状態になりにくい。特に、Ｔ字状ゴムチューブ１３のＴ字状の上辺部１７の先端側下部と、縦辺部２１の下端の先端側とに形成された円弧状の切欠２３内に、紐体２５が保持されることで、大腸３１とゴムの接触面積をより大きくでき、把持がより強固におこなわれる。
【００３１】
そして、Ｔ字状の上辺部１７のうち、先端側のステンレス管が挿入されている長さ５ｍｍの部分が、ステンレス管が芯材として働き、十分な剛性をもって、大腸３１を把持する。また、ステンレス管が芯材となっていない上辺部１７の長さ１０ｍｍの部分、および縦辺部２１の長さ１０ｍｍの部分が、弾性的に変形し、大腸３１に十分に密着する。
【００３２】
また、ステンレスの部分が直接に大腸３１に触れることがなく、大腸３１を損傷することがない。
出願人は、大腸専門医として腹腔鏡手術の長年の経験を積んできたが、この臓器把持具１のように、大腸をしっかり把持でき、牽引を自在にできる道具をほかに知らない。自由に大腸を牽引できるので、患部の視野を十分に確保でき、特に骨盤底部の視野が確保できる。よって、腹腔鏡手術の質を向上できることとなった。
【００３３】
特に、難易度が高い低位の直腸癌に対するこの臓器把持具１の利用価値の高さは、臨床的に、実感できるものがある。
さらに、この実施形態によれば、臓器把持具１を円筒状のステンレス管やＴ字状ゴムチューブ１３を用いて簡便に構成でき、安価な臓器把持具１を得ることができる。
【００３４】
また、この臓器把持具１により直腸の把持を強くおこなうことで、直腸内腔を閉鎖し直腸洗浄を容易にできる。すなわち、この臓器把持具１により直腸の把持を強くおこない、腫瘍の肛門側約2cmにかけて直腸内腔を閉鎖し、肛門より生食液あるいはイソジン加生食液で約2000ml洗浄して、直腸切離部位の癌細胞を可及的に除去する。
これにより、従来行われていた煩わしい脱着型の腸クランプ鉗子の腹腔内操作も必要がなくなり、そのまま腸管閉鎖ができるようになっているので、直腸洗浄も効率よく容易に施行できる。
【００３５】
「他の実施形態」
以上の実施形態では、分岐形状ゴムチューブ１１は、Ｔ字状ゴムチューブ１３であったが、他の実施形態では、他の分岐形状、例えばＹ字状ゴムチューブを使用することもできる。
【００３６】
以上の実施形態では、紐体２５は、外科用血管テープであったが、他の実施形態では、他の紐体２５、例えば特殊な紐や細いチューブなどを使用することができる。
以上の実施形態では、臓器２９は大腸３１を例に説明したが、他の実施形態では、小腸、胃など他の臓器２９に対しても本発明は実施できる。
【図面の簡単な説明】
【００３７】
【図１】この発明の一実施形態に係る臓器把持具を構成する部品、および使用に用いる道具を示すもので、（Ａ）は臓器把持具の本体を示す側面図、（Ｂ）は紐体を示す側面図、（Ｃ）は腹腔鏡手術用鉗子を示す側面図、（Ｄ）は紐体の両端をゴムチューブの上からクリップする鉗子の側面図、（Ｅ）は（Ａ）のＥ部において臓器把持具の本体の後端からゴムチューブを外した分解図、（Ｆ）は（Ａ）のＦ部において臓器把持具の本体の先端からＴ字状ゴムチューブを外した分解図である。
【図２】図１の臓器把持具を用いて臓器の把持をおこなう始めの手順を示す斜視図である。
【図３】図２の次の手順を示す斜視図である。
【図４】図３の次の手順を示す斜視図である。
【図５】図４の次の手順を示す斜視図である。
【図６】図５の次の手順を示す斜視図である。
【図７】図６の次の手順を示す斜視図である。
【図８】図７の次の手順を示す斜視図である。
【図９】図８の要部を示すＩＸ−ＩＸ断面図である。
【符号の説明】
【００３８】
１…臓器把持具、３…本体、５…小切開創、７…トロッカー、９…腹腔鏡手術用鉗子、１１…分岐形状ゴムチューブ、１３…Ｔ字状ゴムチューブ、１５…分岐部、１７…上辺部、１９…孔、２１…縦辺部、２３…切欠、２５…紐体、２７…ゴムチューブ、２９…臓器、３１…大腸、３３…ハンドル部、３５…先端部分、３７…鉗子、３９…腹腔。
【図２】
0005019394.tif 000002
【図３】
0005019394.tif 000003
【図４】
0005019394.tif 000004
【図９】
0005019394.tif 000005
【図１】
0005019394.tif 000006
【図５】
0005019394.tif 000007
【図６】
0005019394.tif 000008
【図７】
0005019394.tif 000009
【図８】
0005019394.tif 000010